(57)【特許請求の範囲】
【請求項１】
表生地、中生地、及び裏生地を積層して設けられ、前記表生地と前記中生地を所定間隔で縫い合わされる複数の第１縫い目と、前記第１縫い目に交差して前記表生地と前記中生地を縫い合わせる複数の縦縫い目と、前記中生地の前記表生地と反対側の面に所定間隔で前記第１縫い目に沿って並行に突出して形成されたつまみと、前記中生地の前記つまみと前記裏生地を縫い合わせる複数の第２縫い目が設けられ、前記第１縫い目と前記第２縫い目は互いに対向しない異なる位置に設けられ、前記表生地と前記中生地の間は第１保温材収納空間となり、前記一対の第１縫い目と前記一対の縦縫い目で囲まれた袋状となり、疎水性保温材が入れられ、前記中生地と前記裏生地の間は第２保温材収納空間となり、前記一対の第２縫い目で囲まれた袋状となり、任意の保温材が入れられていることを特徴とする防寒衣服。
【請求項２】
前記疎水性保温材は、疎水性繊維を含有して作られた複数個の小形の球体により形成された球状保温材である請求項１記載の防寒衣服。
【請求項３】
前記球状保温材は、ポリエステル糸又はアクリル糸をカールさせた直径３〜５ｍｍの柔軟な球体である請求項２記載の防寒衣服。
【請求項４】
前記第２保温材収納空間に入れられる保温材は、ダウンである請求項１記載の防寒衣服。
【発明の詳細な説明】
【技術分野】
【０００１】
この発明は、寒冷地等で着用する防寒衣服に関する。
に関する。
【背景技術】
【０００２】
従来、寒冷地等で着用する保温性が高い防寒衣服として、生地の内側にダウン等の保温材が入れられたものがある。このような防寒衣服の生地は、表生地と裏生地が重ねて設けられ、表生地と裏生地の間に保温材を挟んで、縫い糸で縫い合わされている。縫い糸で形成された縫い目は、例えば防寒衣服全体に複数本が互いに平行にほぼ等間隔で設けられ、一対の縫い目の間は、それぞれ保温空間を形成している。しかし、このような防寒衣服は、縫い糸で縫い合わせらされた縫い目部分で保温材がつぶれて薄くなり、また縫い糸が挿通された針穴が貫通しているため、断熱性が低くなるという問題がある。このため、縫い目部分では保温性が低く、体温が逃げやすいものである。この問題を解決するために、表生地と裏生地の縫い目部分が一致しない防寒衣服が考えられている。
【０００３】
特許文献１の防寒用品と、特許文献２の防寒衣服は、表生地、中生地、裏生地とを積層したものであり、表生地と中生地を所定間隔で縫い合わせる複数の第１縫い目と、中生地と裏生地を所定間隔で縫い合わせる複数の第２縫い目が設けられている。第１縫い目と第２縫い目は互いに平行で異なる位置に設けられている。表生地と中生地の間は、第１保温材収納空間となり、一対の第１縫い目で囲まれた袋状となり、ダウン等の保温材が入れられている。中生地と裏生地の間は、第２保温材収納空間となり、一対の第２縫い目で囲まれた袋状となり、ダウン等の保温材が入れられている。そして、第１保温材収納空間の第１縫い目に、第２保温材収納空間が重ねられ、第１保温材収納空間と第２保温材収納空間の位置をずらして設けられている。これにより、熱が逃げやすい縫い目を、積層した他方の保温材で覆い、確実に保温することができる。
【先行技術文献】
【特許文献】
【０００４】
【特許文献１】特開２００７−２７０３８４号公報
【特許文献２】特開２０１１−２０２２９５号公報
【発明の概要】
【発明が解決しようとする課題】
【０００５】
上記背景技術の場合、保温材として使用されるダウンは水に弱く、雨水が生地の縫い目等から内部にしみこんでダウンがぬれると、空気の層がなくなって薄くなり、保温性が低下するという問題があった。このため、濡れても高い保温性を維持する保温材で作られ、なおかつ縫い目の保温性が高い防寒衣服が求められていた。
【０００６】
この発明は、上記従来の技術の問題点に鑑みてなされたものであり、簡単な構造で保温性が高く、水にぬれても保温効果を維持する防寒衣服を提供することを目的とする。
【課題を解決するための手段】
【０００７】
本発明は、表生地、中生地、裏生地とを積層したものであり、前記表生地と前記中生地を所定間隔で縫い合わされる複数の第１縫い目と、前記第１縫い目に交差して前記表生地と前記中生地を縫い合わせる複数の縦縫い目と、前記中生地の前記表生地と反対側の面に所定間隔で前記第１縫い目に沿って並行に突出して形成されたつまみと、前記中生地の前記つまみと前記裏生地を縫い合わせる複数の第２縫い目が設けられている。前記第１縫い目と前記第２縫い目は互いに対向しない異なる位置に設けられている。前記表生地と前記中生地の間は、第１保温材収納空間となり、前記一対の第１縫い目と前記一対の縦縫い目で囲まれた袋状となり、疎水性保温材が入れられている。前記中生地と前記裏生地の間は、第２保温材収納空間となり、前記一対の第２縫い目で囲まれた袋状となり、ダウン等の任意の保温材が入れられている。
【０００８】
前記疎水性保温材は、疎水性繊維を含有して作られた複数個の小形の球体により形成された球状保温材である。
【０００９】
前記球状保温材は、ポリエステル糸又はアクリル糸をカールさせた直径３〜５ｍｍの柔軟な球体である。前記球状保温材は、その他レーヨン、ナイロンなどいろいろな繊維で製造可能である。
【００１０】
前記第２保温材収納空間に入れられる保温材は、水鳥の胸毛等のダウンである。
【発明の効果】
【００１１】
本発明の防寒衣服は、簡単な構造で高い保温性を得ることができ、水にぬれても保温効果を維持することができる。また、熱が逃げやすい縫い目を積層した他方の保温材で覆い、確実に内部を保温して防寒機能・断熱機能を高めることができる。
【図面の簡単な説明】
【００１２】
【図１】この発明の一実施形態の防寒衣服の正面図である。
【図２】この実施形態の防寒衣服の生地の概略図である。
【図３】この実施形態の防寒衣服の生地の製造工程を示す概略の縦断面図（ａ）と概略の斜視図である。
【図４】この実施形態の防寒衣服の生地の製造工程を示す概略の縦断面図（ａ）と概略の斜視図である。
【図５】この実施形態の防寒衣服の生地の製造工程を示す概略の縦断面図（ａ）と概略の斜視図である。
【図６】この実施形態の防寒衣服の生地の製造工程を示す概略の縦断面図（ａ）と概略の斜視図である。
【図７】この実施形態の防寒衣服の生地の製造工程を示す概略の縦断面図（ａ）と概略の斜視図である。
【図８】この実施形態の防寒衣服の生地の製造工程を示す概略の縦断面図（ａ）と概略の斜視図である。
【図９】この実施形態の防寒衣服の生地の他の実施形態を示す正面図である。
【図１０】この実施形態の防寒衣服の生地のさらに他の実施形態を示す概略図である。
【発明を実施するための形態】
【００１３】
以下、この発明の実施形態について図面に基づいて説明する。図１〜図８はこの発明の一実施形態を示すもので、この実施形態の防寒衣服１０は、寒冷地の屋外で着用するジャケットである。図１は防寒衣服１０を示したものであり、着用者の上半身を覆う前身頃１１、後身頃、袖部１５、フード１７が設けられ、前身頃１１の中心には、着用の際に開閉するファスナ１９が設けられている。防寒衣服１０の前身頃１１と後身頃１３の、胸から下の部分と、袖部１５の長手方向に沿う下側の部分は、保温性が高い服地１２で作られている。その他の部分は、服地１２と異なる服地２１で作られている。
【００１４】
次に、服地１２について図２に基づいて説明する。服地１２は、表生地１４、中生地１６、裏生地１８が重ねられて設けられている。表生地１４と中生地１６は、縫い糸２０で縫い合わされている。縫い糸２０で形成された第１縫い目２２はほぼ直線に設けられ、服地１２全体に複数本が互いに平行にほぼ等間隔で設けられている。第１縫い目２２は、防寒衣服１０の状態で水平方向に位置し、服地１２の縦方向にも縦縫い目２３が形成されている。表生地１４と中生地１６の間は、第１保温材収納空間２４となり、一対の第１縫い目２２と一対の縦縫い目２３で囲まれて複数の袋状に形成され、疎水性の保温材である球状保温材２６が、第１保温材収納空間２４の各袋状部分にほぼ等量ずつ入れられている。
【００１５】
ここで球状保温材２６について説明する。球状保温材２６は、疎水性繊維である例えばポリエステル糸をカールさせた直径３〜５ｍｍの柔軟な球体を複数個集めて設けられている。球状保温材２６は、水を含んでも体積がほとんど変わらず空気層がつぶれることがなく、水を含むと体積が約３分の１になってしまうダウンに対し、ぬれても保温性をキープする。球状保温材２６は、柔らかく、軽量・コンパクトである。小さくて柔軟な球体が集められているため、柔らかく、優しい着心地となる。体積の回復力が高く、収納状態から取り出してもすぐに復元する。
【００１６】
中生地１６の表生地１４と反対側の面には、つまみ３６が互いに平行に所定間隔で突出して形成されている。中生地１６と裏生地１８は、つまみ３６と裏生地１８が、縫い糸２８で縫い合わされている。縫い糸２８で形成された第２縫い目３０は、第１縫い目２２と平行に位置しほぼ直線に設けられ、服地１２全体に複数本が互いに平行にほぼ等間隔で設けられている。中生地１６と裏生地１８の間は、第２保温材収納空間３２となり、一対の第２縫い目３０で囲まれた袋状に形成され、ダウン３４がほぼ等量ずつ入れられている。
【００１７】
防寒衣服１０の表生地１４は、撥水性や防水性を有する素材で作られ、裏生地１８は、身体に接触しても違和感がないように柔軟な素材で作られている。表生地１４、中生地１６、裏生地１８は、前身頃１１、後身頃１３、袖部１５の形状にカットされて縫い合わされ、第１縫い目２２、第２縫い目３０は、着用したときに水平方向に位置するように形成されている。
【００１８】
次に、服地１２の製造方法について図３〜図８に基づいて説明する。まず、図３に示すように中生地１６に、０．５ｍｍのつまみ３６を所定間隔で縫い合わせて形成する。次に中生地１６の、つまみ３６が突出する面と反対側の面に表生地１４を重ね、回りを、開口する一部を除いて縫いとめる（図４）。そして、開口した部分から球状保温材２６を全体に均一な厚みになるように入れる（図５）。
【００１９】
この後、球状保温材２６を入れた開口を縫い合わせて閉鎖し、さらに表生地１４、中生地１６全体に、複数の第１縫い目２２及び縦縫い目２３を設ける（図６）。この状態で、表生地１４と中生地１６の間に第１保温材収納空間２４が形成され、第１保温材収納空間２４は、一対の第１縫い目２２と一対の縦縫い目２３で囲まれた袋状となり、各袋状の空間内に球状保温材２６がほぼ等量ずつ密封される。第１縫い目２２は、つまみ３６に対して平行で、一対のつまみ３６のほぼ中間に位置している。
【００２０】
次に、中生地１６のつまみ３６側の面に裏生地１８を重ね、つまみ３６と裏生地１８を縫い糸２８で縫い合わせて第２縫い目３０を設ける。中生地１６と裏生地１８の間に第２保温材収納空間３２が形成され、ここでは第２保温材収納空間３２は一対の第２縫い目３０で囲まれた筒状となる。各第２保温材収納空間３２に、ダウン３４を筒状の開口部からほぼ等量ずつ入れ、回りを縫い止め、ダウン３４は密閉される。そして、裏生地１８にも縦縫い目２３を形成し、服地１２が出来上がる。この後、前身頃１１、後身頃、袖部１５の各パーツの形状の生地１２を作り、縫い合わせて防寒衣服１０を作る。
【００２１】
この実施形態の防寒衣服１０によれば、第１縫い目２２と第２縫い目３０が服地１２の表裏に貫通していないため、熱伝導及び通気を確実に遮断して、高い断熱性と良好な保温性を有し、防寒性能を高めることができる。特に、第１縫い目２２付近では球状保温材２６が縫いつぶされて薄くなり、保温性が低くなるが、第１縫い目２２には第２保温材収納空間３２に入れられたダウン３４の中心の一番厚い部分が位置し、放熱を防ぐ。また、第２縫い目３０付近ではダウン３４が薄くなり保温性が低くなるが、第２縫い目３０には第１保温材収納空間２４に入れられた球状保温材２６の中心の一番厚い部分が位置し、互いにカバーしている。第１縫い目２２と第２縫い目３０は、異なる縫い糸で異なる位置に設けられているため、針穴が表裏に貫通せず、針穴による通気を防ぎ、この点からも熱の伝達を防いでいる。服地１２は、表生地１４が撥水性や防水性を有する素材で作られ、裏生地１８が柔軟な素材で作られ、着心地が良好でなおかつ撥水性や防水性にすぐれている。保温材は、表生地１４側に水分に強い球状保温材２６を使用し、裏生地１８側に柔軟で保温性が高いダウンを使用しているため、このことからも着心地が良好でなおかつ雨や雪による水分の侵入に対して強い。
【００２２】
ここで、この球状保温材２６について、水に濡れたときの体積の減少についてダウン３４と比較する実験について説明する。同質量のダウンと球状保温材２６に同量の水分を加え、体積の変化を観察したものである。試料重量５．５ｇのダウンは体積が５６００ｍｌであるが、水１３ｇを加えると１６８０ｍｌになり、約３分の１まで体積が減少した。
【００２３】
これに対し、球状保温材２６は同質量の５．５ｇで体積が１０５０ｍｌであるが、水１３ｇを加えても７５０ｍｌであり、体積の減少割合が小さいことがわかった。この性質により、例えば、球状保温材２６の質量を上記の１．５倍程度にすると、ダウンと同体積となり、同体積で比較すると、球状保温材２６の吸湿時の体積減少がダウンと比較して大幅に抑えられる。しかもこの場合の重量増加は、防寒具全体の重量に対して球状保温材２６の重量は僅かであるので、ほとんど影響がないと言える。従って、この実施形態の防寒衣服１０は、水に濡れても空気層が確保され保温性を維持することが確かめられた。
【００２４】
その他、生地１２は、球状保温材２６とダウン３４以外の素材を用いてもよく、球状保温材２６の代わりに、いろいろな繊維資材を使用することができる。例えば図９に示す生地３８は、球状保温材２６の代わりに均一の厚みのシート状保温材４０が用いられているもので、シート状保温材４０は、少なくとも疎水性繊維を含有して作られている。
【００２５】
以下、図９の服地３８の製造方法について説明する。中生地１６につまみ３６を形成し、中生地１６のつまみ３６が突出する面と反対側の面に、シート状保温材４０を積層し、シート状保温材４０の上に表生地１４を重ね、第１縫い目２２で縫い合わせる。第１縫い目２２は一対のつまみ３６の中間に位置している。これにより、シート状保温材４０が取り付けられる。中生地１６のつまみ３６側の面に裏生地１８を重ね、つまみ３６と裏生地１８を第２縫い目３０で縫い合わせて第２保温材収納空間３２を形成する。各第２保温材収納空間３２に、ダウン３４を入れて回りを縫い止める。これにより、ダウン３４が密閉され、服地３８が出来上がる。なお、服地３８も、縦縫い目２３を形成したものでも良い。
【００２６】
服地３８は上記実施形態の服地１２と同様の効果を有するものであり、防寒衣服１０を服地３８で作ることにより着心地が良好でなおかつ雨や雪に強いものとなる。
【００２７】
その他、内側の保温材は、水鳥の胸毛（ダウンボール）のような構造を持つものでもよい。外側の保温材も、ポリエステルやアクリル、レーヨン、ナイロンなどいろいろな繊維で形成可能であり、小さくて柔らかい核心から放射状に出ている細かい羽枝が設けられているものでも良い。各羽枝は、相互に絡み合ってふわふわとした弾力のある球を形成している。このダウンボール状の繊維素材は、フェルト化現象が起こらず、軽量で保温効果が高く、乾燥性に優れたものである。さらに、外側の保温材は、疎水性繊維を含有して、吸湿性が抑えられたものであれば良く、親水性繊維と疎水性繊維を混合したものでも良い。
【００２８】
また、内外の保温材は、例えば遠赤外線の放射率の高いセラミックを粉砕して練り込んだ光電子繊維と、髪の毛の１０分の１程度の細い繊維を組み合わせたものでもよい。これは、体温付近で遠赤外線を輻射するセラミックスを練り込んでいるので、人体から放射される遠赤外線を吸収し輻射する。光電子輻射エネルギーは水分蒸散を促すために、ムレが少なく、早乾性に優れている。そして細い繊維で作られているため、細かい空気層が表面の水を跳ね返し、中心部分に水がしみ込んでも水分を吸収することはなく、優れた耐水性を有するものである。
【００２９】
なお、この発明の防寒衣服は上記実施の形態に限定されず、図１０に示すように、縦縫い目２３を形成せずに、水平方向の第１縫い目２２のみとした防寒衣服でも良く、各縫い目の方向はデザインに合わせて変更可能であり、表裏に位置した第１縫い目と第２縫い目の位置が一致しないものであればよい。縫い目の間隔も自由に変更可能であり、一対の第１縫い目の間に２本以上の第２縫い目が設けられてもよく、逆に一対の第２縫い目の間に２本以上の第１縫い目が設けられてもよい。この発明の防寒衣服は、上記実施形態の長袖のジャケット以外に、ロングコート、ベスト、ズボン等でもよい。
【符号の説明】
【００３０】
１０  防寒衣服
１２  服地
１４  表生地
１６  中生地
１８  裏生地
２２  第１縫い目
２４  第１保温材収納空間
２６  球状保温材
３０  第２縫い目
３２  第２保温材収納空間
３４  ダウン
【図１】
0005879139.tif 000002
【図２】
0005879139.tif 000003
【図３】
0005879139.tif 000004
【図４】
0005879139.tif 000005
【図５】
0005879139.tif 000006
【図６】
0005879139.tif 000007
【図７】
0005879139.tif 000008
【図８】
0005879139.tif 000009
【図９】
0005879139.tif 000010
【図１０】
0005879139.tif 000011